(57)【要約】【課題】面発光部に物がぶつかったり、銃弾が当たったりした場合でも、照明機能が簡単には失われない構造を有するＬＥＤ面発光照明装置を提供する。【解決手段】少なくとも拡散板４、導光板５、反射板６および金属製の放熱板兼用背面保護板７が、装置前面側から順に積層した面発光部構成体１xと、この面発光部構成体１xを保持する金属製の枠体であって、内部にＬＥＤユニット配置用の空間部９を有するとともに、この空間部９が枠体内側縁に沿って開口１０し、この開口部１０に面発光部構成体１xの外縁部分が嵌合した保持枠２と、この保持枠２の空間部９に配置され、導光板５の側端面と間隔をおいて対向するＬＥＤユニット３を有する。面発光部構成体１xに衝撃が加わった場合でも、ＬＥＤユニット３側に衝撃が伝わらず、ＬＥＤユニット３が保護される。【選択図】図３
2016004603.tif 000002
【特許請求の範囲】
【請求項１】
少なくとも拡散板（４）、導光板（５）、反射板（６）および金属製の放熱板兼用背面保護板（７）が、装置前面側から順に積層した面発光部構成体（１x）と、
該面発光部構成体（１x）を保持する金属製の枠体であって、内部にＬＥＤユニット配置用の空間部（９）を有するとともに、該空間部（９）が枠体内側縁に沿って開口（１０）し、該開口部（１０）に面発光部構成体（１x）の外縁部分が嵌合した保持枠（２）と、
該保持枠（２）の空間部（９）に配置され、導光板（５）の側端面と間隔をおいて対向するＬＥＤユニット（３）を有することを特徴とする面発光照明装置。
【請求項２】
少なくとも拡散板（４）、導光板（５）および金属製の反射板・放熱板兼用背面保護板（８）が、装置前面側から順に積層した面発光部構成体（１y）と、
該面発光部構成体（１y）を保持する金属製の枠体であって、内部にＬＥＤユニット配置用の空間部（９）を有するとともに、該空間部（９）が枠体内側縁に沿って開口（１０）し、該開口部（１０）に面発光部構成体（１y）の外縁部分が嵌合した保持枠（２）と、
該保持枠（２）の空間部（９）に配置され、導光板（５）の側端面と間隔をおいて対向するＬＥＤユニット（３）を有することを特徴とする面発光照明装置。
【請求項３】
保持枠（２）は、締結手段で締結された前面枠体（２０）と背面枠体（２１）で構成され、前面枠体（２０）と背面枠体（２１）間に空間部（９）と開口部（１０）が形成されることを特徴とする請求項１または２に記載の面発光照明装置。
【請求項４】
ＬＥＤユニット（３）は、基板（３０）と、該基板（３０）にその長手方向で間隔をおいて実装されたＬＥＤチップ（３１）と、基板（３０）をその長手方向で保持する金属製の保持部材（３２）を備え、
該保持部材（３２）は、前面枠体（２０）と背面枠体（２１）に面接触していることを特徴とする請求項３に記載の面発光照明装置。
【請求項５】
保持部材（３２）がアングルで構成され、該アングルの一辺の外側面（３２０）に、基板底面が面接触した状態で基板（３０）が固定され、
前面枠体（２０）または背面枠体（２１）に、断面四角形状の保持部材取付部（１１）が形成され、
保持部材（３２）が、アングルの内側面が保持部材取付部（１１）の２つの面に面接触し且つアングルの他の一辺の外側面（３２１）が前面枠体（２０）または背面枠体（２１）に面接触した状態で、保持部材取付部（１１）に固定されることを特徴とする請求項４に記載の面発光照明装置。
【請求項６】
導光板（５）の表面に飛散防止用フィルム（１２）が貼設されていることを特徴とする請求項１〜５のいずれかに記載の面発光照明装置。
【請求項７】
拡散板（４）がポリカーボネートで構成されるか、若しくは拡散板（４）の表面に飛散防止用フィルム（１３）が貼設されていることを特徴とする請求項１〜６のいずれかに記載の面発光照明装置。
【請求項８】
面発光部構成体（１x）または（１y）の両側端面にピン係合溝（１４）が形成され、
保持枠（２）には、ピン係合溝（１４）に係合することで面発光部構成体（１x）または（１y）を位置決めおよび係止するピン（１５）が設けられることを特徴とする請求項１〜７のいずれかに記載の面発光照明装置。
【請求項９】
面発光部構成体（１x）を構成する拡散板（４）、導光板（５）および反射板（６）の各両側端面、若しくは面発光部構成体（１y）を構成する拡散板（４）および導光板（５）の各両側端面に、ピン係合溝（１４）が形成され、
保持枠（２）には、ピン係合溝（１４）に係合することで面発光部構成体（１x）を構成する拡散板（４）、導光板（５）および反射板（６）、若しくは面発光部構成体（１y）を構成する拡散板（４）および導光板（５）を位置決めおよび係止するピン（１５）が設けられ、
面発光部構成体（１x）を構成する放熱板兼用背面保護板（７）の背面、若しくは面発光部構成体（１y）を構成する反射板・放熱板兼用背面保護板（８）の背面に、背面枠体（２１）の内側縁（２１０）と係合することで、放熱板兼用背面保護板（７）または反射板・放熱板兼用背面保護板（８）を位置決めおよび係止する段部（７０）または（８０）が形成されたことを特徴とする請求項１〜７のいずれかに記載の面発光照明装置。
【発明の詳細な説明】
【技術分野】
【０００１】
本発明は、例えば、携行使用を含めて種々の形態で使用できる面発光照明装置であって、特に、面発光部に物がぶつかったり、銃弾が当たったりした場合でも、照明機能が簡単には失われない構造を有し、かつ爆発のおそれがある環境や揮発性が高く引火性のある溶剤を扱う場所などで安全に使用できる面発光照明装置に関するものである。
【背景技術】
【０００２】
警察や軍隊或いは民間警備の装備として、若しくは一般民生用や災害用の照明手段として、携行可能であって且つ屋内外において種々の形態で使用できる照明装置は有用である。また、炭鉱や塗装現場などのような、爆発のおそれがある環境や揮発性が高く引火性のある溶剤を扱う場所などで安全に使用できる照明装置も有用である。
近年、ＬＥＤを光源とする種々の照明装置が提案されているが、そのなかで特許文献１には、ＬＥＤを光源とする携帯型の面発光照明装置が開示されている。
【０００３】
この面発光照明装置は、主に一般個人がバックなどに入れて携帯使用する照明器具として提案されたものであるが、その構造は、前面に開口部（窓）を有する箱型の支持フレームの内部に、ＬＥＤ光源と、このＬＥＤ光源が発する光を側端面に受け、これを拡散して前面から出射する導光板と、この導光板の背面側に積層される反射部材と、導光板の前面側に積層される拡散シートなどが収納されたものであり、導光板前面（面発光部）からの出射光が支持フレームの開口部を通じて外部に照射されるようになっている。
【先行技術文献】
【特許文献】
【０００４】
【特許文献１】特開２００７−３３５２２７号公報
【発明の概要】
【発明が解決しようとする課題】
【０００５】
上述したように、特許文献１に開示される面発光照明装置は、主に一般個人が日常で携帯使用するような用途を前提としているが、例えば、警察や軍隊或いは民間警備の装備として、若しくは災害用の照明手段として使用する場合には、耐久性（耐衝撃性、耐損傷性など）の面で大きな問題があり、また、爆発のおそれがある環境や揮発性が高く引火性のある溶剤を扱う場所（例えば、炭鉱や塗装現場）などで使用する場合には、さらに安全性の面でも大きな問題がある。すなわち、これらの用途では、物がぶつかるなどして大きな衝撃が加わることが多々あり、その衝撃により面発光部の一部が破損することもある。ここで、特許文献１の照明装置では、ＬＥＤが導光板の側端面に直に取り付けられており、また、ＬＥＤが導光板の４隅のうちの１箇所にのみ設けられているので、放熱のための構造については特に言及されていないが、ＬＥＤ（ＬＥＤ基板）を直接または間接に支持フレームに接触させて、支持フレームを介して放熱しているものと考えられる。特に、導光板の側端面に沿って多数のＬＥＤを配置する場合には、発熱量も大きくなるので、そのような構造が不可欠であると考えられる。しかし、このような構造では、装置（特に、装置全体のなかで大きな面積を占める面発光部や支持フレームの背面）に物がぶつかるなどして大きな衝撃が加えられた場合、その衝撃によりＬＥＤが簡単に破損していまい、照明機能が失われてしまう。特に、軍隊の装備品として使用される場合、照明装置は銃弾の標的になりやすく、銃弾が面発光部に当たると、その衝撃でＬＥＤ回路が破損し、照明機能がすぐに失われてしまう。また、ＬＥＤ回路が破損しない場合でも、銃弾により面発光部を構成する導光板が砕け散り、面発光機能（照明機能）が失われてしまう。また、支持フレームなどの密閉性が十分でないと、爆発のおそれがある環境や引火性のある溶剤を扱う場所（例えば、炭鉱や塗装現場）などで使用した場合に、支持フレームに内蔵される電極に爆発性の雰囲気ガスや引火性の溶剤が接触しやすく、このため安全性の面でも大きな問題がある。
【０００６】
したがって本発明の目的は、ＬＥＤを光源とする面発光照明装置であって、面発光部に物がぶつかったり、銃弾が当たったりした場合でも、照明機能が簡単には失われない構造を有する照明装置を提供することにある。また、本発明の他の目的は、上記に加えて、爆発のおそれがある環境や揮発性が高く引火性のある溶剤を扱う場所などでも安全に使用することができる照明装置を提供することにある。
【課題を解決するための手段】
【０００７】
上記課題を解決するための本発明の要旨は以下のとおりである。
［1］少なくとも拡散板（４）、導光板（５）、反射板（６）および金属製の放熱板兼用背面保護板（７）が、装置前面側から順に積層した面発光部構成体（１x）と、
該面発光部構成体（１x）を保持する金属製の枠体であって、内部にＬＥＤユニット配置用の空間部（９）を有するとともに、該空間部（９）が枠体内側縁に沿って開口（１０）し、該開口部（１０）に面発光部構成体（１x）の外縁部分が嵌合した保持枠（２）と、
該保持枠（２）の空間部（９）に配置され、導光板（５）の側端面と間隔をおいて対向するＬＥＤユニット（３）を有することを特徴とする面発光照明装置。
【０００８】
［2］少なくとも拡散板（４）、導光板（５）および金属製の反射板・放熱板兼用背面保護板（８）が、装置前面側から順に積層した面発光部構成体（１y）と、
該面発光部構成体（１y）を保持する金属製の枠体であって、内部にＬＥＤユニット配置用の空間部（９）を有するとともに、該空間部（９）が枠体内側縁に沿って開口（１０）し、該開口部（１０）に面発光部構成体（１y）の外縁部分が嵌合した保持枠（２）と、
該保持枠（２）の空間部（９）に配置され、導光板（５）の側端面と間隔をおいて対向するＬＥＤユニット（３）を有することを特徴とする面発光照明装置。
【０００９】
［3］上記［1］または［2］の面発光照明装置において、保持枠（２）は、締結手段で締結された前面枠体（２０）と背面枠体（２１）で構成され、前面枠体（２０）と背面枠体（２１）間に空間部（９）と開口部（１０）が形成されることを特徴とする面発光照明装置。
［4］上記［3］の面発光照明装置において、ＬＥＤユニット（３）は、基板（３０）と、該基板（３０）にその長手方向で間隔をおいて実装されたＬＥＤチップ（３１）と、基板（３０）をその長手方向で保持する金属製の保持部材（３２）を備え、該保持部材（３２）は、前面枠体（２０）と背面枠体（２１）に面接触していることを特徴とする面発光照明装置。
【００１０】
［5］上記［4］の面発光照明装置において、保持部材（３２）がアングルで構成され、該アングルの一辺の外側面（３２０）に、基板底面が面接触した状態で基板（３０）が固定され、前面枠体（２０）または背面枠体（２１）に、断面四角形状の保持部材取付部（１１）が形成され、保持部材（３２）が、アングルの内側面が保持部材取付部（１１）の２つの面に面接触し且つアングルの他の一辺の外側面（３２１）が前面枠体（２０）または背面枠体（２１）に面接触した状態で、保持部材取付部（１１）に固定されることを特徴とする面発光照明装置。
［6］上記［1］〜［5］のいずれかの面発光照明装置において、導光板（５）の表面に飛散防止用フィルム（１２）が貼設されていることを特徴とする面発光照明装置。
【００１１】
［7］上記［1］〜［6］のいずれかの面発光照明装置において、拡散板（４）がポリカーボネートで構成されるか、若しくは拡散板（４）の表面に飛散防止用フィルム（１３）が貼設されていることを特徴とする発光照明装置。
［8］上記［1］〜［7］のいずれかの面発光照明装置において、面発光部構成体（１x）または（１y）の両側端面にピン係合溝（１４）が形成され、保持枠（２）には、ピン係合溝（１４）に係合することで面発光部構成体（１x）または（１y）を位置決めおよび係止するピン（１５）が設けられることを特徴とする面発光照明装置。
【００１２】
［9］上記［1］〜［7］のいずれかの面発光照明装置において、面発光部構成体（１x）を構成する拡散板（４）、導光板（５）および反射板（６）の各両側端面、若しくは面発光部構成体（１y）を構成する拡散板（４）および導光板（５）の各両側端面に、ピン係合溝（１４）が形成され、保持枠（２）には、ピン係合溝（１４）に係合することで面発光部構成体（１x）を構成する拡散板（４）、導光板（５）および反射板（６）、若しくは面発光部構成体（１y）を構成する拡散板（４）および導光板（５）を位置決めおよび係止するピン（１５）が設けられ、面発光部構成体（１x）を構成する放熱板兼用背面保護板（７）の背面、若しくは面発光部構成体（１y）を構成する反射板・放熱板兼用背面保護板（８）の背面に、背面枠体（２１）の内側縁（２１０）と係合することで、放熱板兼用背面保護板（７）または反射板・放熱板兼用背面保護板（８）を位置決めおよび係止する段部（７０）または（８０）が形成されたことを特徴とする面発光照明装置。
【発明の効果】
【００１３】
本発明の面発光照明装置は、面発光部に物がぶつかったり、銃弾が当たったりした場合でも、照明機能が簡単には失われない高度の耐久性を有する。
また、面発光部構成体と保持枠が特定の構造を有する本発明装置の場合には、保持枠内の電極部分に爆発性の雰囲気ガスや引火性の溶剤等が接触しにくいため、装置を爆発のおそれがある環境（例えば、油田や炭鉱など）や揮発性が高く引火性のある溶剤を扱う場所などでも安全に使用することができる。
【図面の簡単な説明】
【００１４】
【図１】本発明の面発光照明装置の一実施形態を示す正面図
【図２】図1の実施形態の装置を背面側から見た斜視図
【図３】図２中のIII-IIIに沿う断面図
【図４】図1の実施形態の装置における前面枠体２０の背面図
【図５】図1の実施形態の装置において、面発光部構成体１xが取り付けられた前面枠体２０を、取り付け前のＬＥＤユニット３とともに示す背面図
【図６】図1の実施形態の装置において、面発光部構成体１xとＬＥＤユニット３が取り付けられた状態での前面枠体２０の背面図
【図７】図５中のVII-VIIに沿う断面図
【図８】図1の実施形態の装置において、面発光部構成体１xを構成部材に分離した状態で示す斜視図
【図９】本発明の面発光照明装置の他の実施形態を示す正面図
【図１０】本発明の面発光照明装置の他の実施形態において、装置の短辺側における保持枠２と面発光部構成体１xの外縁部分の断面図
【図１１】本発明の面発光照明装置の他の実施形態において、装置の短辺側における保持枠２と面発光部構成体１xの外縁部分の断面図
【図１２】本発明の面発光照明装置の他の実施形態において、装置の短辺側における保持枠２と面発光部構成体１yの外縁部分の断面図
【発明を実施するための形態】
【００１５】
図１〜図８は、本発明の面発光照明装置の一実施形態を示すものであり、図１は正面図、図２は背面側から見た斜視図、図３は図２中のIII-IIIに沿う断面図、図４は前面枠体２０の背面図、図５は、面発光部構成体１xが取り付けられた前面枠体２０を、取り付け前のＬＥＤユニット３とともに示す背面図、図６は、面発光部構成体１xとＬＥＤユニット３が取り付けられた状態での前面枠体２０の背面図、図７は図５中のVII-VIIに沿う断面図、図８は面発光部構成体１xを構成部材に分離した状態で示す斜視図である。
本実施形態の面発光照明装置は、導光板５などの板材を積層した面発光部構成体１xと、この面発光部構成体１xを保持する金属製の保持枠２と、この保持枠２内に配設されるＬＥＤユニット３を主要な構成要素（構成部材）としている。
前記面発光部構成体１xと保持枠２の形状は任意であるが、本実施形態では、横長の矩形状に構成されている。
【００１６】
前記面発光部構成体１xは、少なくとも拡散板４、導光板５、反射板６および金属製の放熱板兼用背面保護板７が、装置前面側から順に積層した（単純に重ね合わされた）ものであり、装置前面の面発光部Ａを構成するものである。なお、上記の各板材は、薄いシート状部材の場合を含む。
面発光部構成体１xの厚さは特に制限はないが、軽量化の観点と銃弾が当たった場合に貫通させるようにするため、１５ｍｍ以下が好ましく、１０ｍｍ以下がより好ましい。また、各構成部材の厚さも特に制限はないが、拡散板４は１〜３ｍｍ、導光板５は２〜４ｍｍ、反射板６は０．５〜２ｍｍ、放熱板兼用背面保護板７は１〜３ｍｍ程度が好ましい。
【００１７】
前記導光板５は、側端面から入射した光を前面の光射出面５０から均一に出射させるための光学部材である。この導光板５としては、例えば、表面にドットパターンのシルクスクリーンを印刷した透明な樹脂板、散乱粒子を分散させた透明な樹脂板など、従来公知のものを用いることができる。透明な樹脂板としては、通常、アクリル樹脂板が用いられるが、ポリエチレンテレフタレート、ポリプロピレン、ポリカーボネートなどの他の樹脂板を用いてもよい。
【００１８】
また、導光板５に銃弾が当たった場合でも、導光板５が砕け散らないようにするために、導光板５の表面（前面）には飛散防止用フィルム１２が貼設されている。飛散防止用フィルム１２としては、窓ガラスなど貼設される公知の飛散防止用フィルム（例えば、ＰＥＴを基材とし、表面に硬質樹脂層を設けたフィルムなど）を用いることができる。このように飛散防止用フィルム１２が貼設される導光板５に銃弾が当たった場合、銃弾は導光板５を貫通するが、導光板５自体は飛散防止用フィルム１２の作用により砕け散らないため、ＬＥＤ回路が損傷を受けない限り、面発光部の照明機能は失われない。すなわち、発光中に銃弾を受けても光り続けることができる。
【００１９】
前記拡散板４は、導光板５の前面（光射出面５０）に重ねられ、導光板５の光射出面５０からの出射光を拡散して均一化するためのものである。この拡散板４としては、例えば、着色剤で着色した樹脂板（例えば、乳白色の樹脂板）、光を散乱させるための表面加工（例えば、表面粗さの付与）や表面処理（例えば、顔料等の塗布）を施した透明な樹脂板など、従来公知のものを用いることができる。樹脂板としては、通常、アクリル樹脂板が用いられるが、ポリエチレンテレフタレート、ポリプロピレン、ポリカーボネートなどの他の樹脂板を用いてもよい。
この拡散板４の表面（前面）にも、導光板５の表面の飛散防止用フィルム１２と同様の目的で、飛散防止用フィルム１３（例えば、ＰＥＴを基材とし、表面に硬質樹脂層を設けたフィルムなど）が貼設される。なお、拡散板４が比較的薄いポリカーボネート板で構成される場合には、銃弾が当たっても砕け散ることがないので、飛散防止用フィルム１３を貼設しなくてもよい。
【００２０】
前記反射板６は、ＬＥＤの光が導光板５の背面側に漏洩しないよう設けられるもので、例えば、フィラーなどを分散させて反射率を高めた樹脂板、表面に鏡面状の金属薄膜（蒸着層、金属箔など）を設けた樹脂板、表面が鏡面仕上された金属板（例えば、アルミニウム板、アルミニウム合金板など）など、従来公知のものを用いることができる。
前記放熱板兼用背面保護板７は、放熱と背面保護を目的としたものであり、アルミニウムやアルミニウム合金などの金属板で構成される。本発明の装置は、面発光部Ａ（面発光部構成体１xの前面側）を除く装置全体、すなわち、保持枠２全体と放熱板兼用背面保護板７をＬＥＤのヒートシンクとして利用するものであり、したがって、放熱板兼用背面保護板７も金属製とする。
なお、面発光部構成体１xは、さらに、プリズムシートなどの公知の光学部材を備えていてもよい。
【００２１】
前記面発光部構成体１xの幅方向の両側端面には、保持枠２に設けられたピンが係合するピン係合溝１４が形成されている。このため、面発光部構成体１xを構成する拡散板４、導光板５、反射板６および放熱板兼用背面保護板７の各幅方向の両側端面に、それぞれピン係合溝１４a〜１４dが形成される。
前記ピン係合溝１４（ピン係合溝１４a〜１４d）には、保持枠２の幅方向両側に設けられるピン１５が係合し、保持枠２に対して面発光部構成体１xが縦横方向で位置決めおよび係止される。これにより、面発光部構成体１xに熱膨張が生じたり、面発光部構成体１xに衝撃が加わった場合でも、面発光部構成体１x（導光板５など）の側端面と保持枠２側に固定されたＬＥＤユニット３との間隔が保たれ、面発光部構成体１x（導光板５など）の側端面がＬＥＤユニット３に接触しないようにしている。なお、面発光部構成体１xの熱膨張などを考慮して、ピン係合溝１４は所定の長さをもって形成され、このピン係合溝１４がピン１５に対してスライドすることで、熱膨張を吸収できるようにしている。
本実施形態では、ピン係合溝１４とピン１５との係合だけで面発光部構成体１xが保持枠２に対して位置決めおよび係止されるので、面発光部構成体１xの交換を容易に行うことができる。
【００２２】
前記保持枠２は、面発光部構成体１xを保持する金属製の矩形の枠体であって、内部にＬＥＤユニット配置用の空間部９を有するとともに、この空間部９が矩形の枠体内側縁に沿って開口１０し、この開口部１０に面発光部構成体１xの外縁部分が嵌合することにより、面発光部構成体１xを保持している。保持枠２は、通常、アルミニウム、アルミニウム合金、マグネシウム合金などで構成される。
前記ＬＥＤユニット３は、保持枠２の４辺の各空間部９に配置され、面発光部構成体１x（主に導光板５）の側端面と間隔をおいて対向している。本実施形態では、保持枠２の短辺側に青色ＬＥＤ回路を備えたＬＥＤユニット３aが、保持枠２の長辺側に白色ＬＥＤ回路を備えたＬＥＤユニット３bが、それぞれ配置されている。
【００２３】
ＬＥＤユニット３（ＬＥＤチップ３１）と導光板５の側端面と間隔ｗ（図３参照）は、ＬＥＤチップからの導光板側端面へのＬＥＤ光の入射や面発光部構成体１xの熱膨張などを考慮して決められるが、通常、０．３〜０．７ｍｍ程度が好ましい。
このようにＬＥＤユニット３（ＬＥＤチップ３１）が導光板５の側端面との間で適当なクリアランスを有することにより、面発光部構成体１xに衝撃が加わった場合でも、ＬＥＤユニット３側に衝撃が伝わらず、ＬＥＤユニット３が保護されることになる。
【００２４】
本実施形態の保持枠２は、締結手段で締結された前面枠体２０と背面枠体２１で構成され、前面枠体２０と背面枠体２１間に、前記空間部９と開口部１０が形成される。これら空間部９と開口部１０は、保持枠２の全長（全周）に沿って形成されている。
開口部１０に嵌合した面発光部構成体１xの外縁部分と前面枠体２０との間には、シール用のゴム製のガスケット１７が介在している。また、面接触する背面枠体２１と放熱板兼用背面保護板７との間には、シール部１００が介在している。このシール部１００は、背面枠体２１と放熱板兼用背面保護板７との面接触部に、例えば、公知のシリコン系の熱伝導性シール材を塗布することにより構成することができる。
【００２５】
前面枠体２０の外縁部分には、壁部２００が形成されるとともに、この壁部２００の上端に、背面枠体２１を嵌め込むための段部２０１が形成されている。この段部２０１の全周には溝２０２が形成され、この溝２０２にＯリング１６が装着されている。背面枠体２１は、壁部２００上端の段部２０１の内側に嵌め込まれた状態で締結手段で前面枠体２０に締結され、保持枠２が構成される。締結手段は、前面枠体２０に形成される雌ネジ孔２０３、背面枠体２１に形成されるネジ挿通孔（図示せず）、このネジ挿通孔に挿通し、前記雌ネジ孔２０３に螺装される固定ネジ２２などで構成される。
【００２６】
前面枠体２０の背面側には、断面四角形状の保持部材取付部１１が、開口部１０に沿うように形成されている。この保持部材取付部１１は、その断面四角形状の１つの面が前面枠体２０の背面に接するような状態で、前面枠体２０の本体に一体形成されている。なお、この保持部材取付部１１は、ブロック状の金属部材を、固定ネジなどの固定手段で前面枠体２０の背面側に固定することで構成してもよい。
前面枠体２０の対向する２辺（２つの短辺部）の各長手方向中央部には、面発光部構成体１xのピン係合溝１４に係合することで面発光部構成体１xを位置決めおよび係止するピン１５が、背面枠体２１方向に向けて立設されている。
【００２７】
前記ＬＥＤユニット３は、基板３０と、この基板３０にその長手方向で間隔をおいて実装されたＬＥＤチップ３１と、基板３０をその長手方向で保持する金属（例えば、アルミニウム、アルミニウム合金など）製の保持部材３２を備えている。基板３０は、熱伝導性の両面接着テープ３３で保持部材３２に固定されているが、例えば、ネジ止めで固定されてもよい。
このＬＥＤユニット３は、保持部材３２が前面枠体２０と背面枠体２１に面接触した状態で、保持部材３２を介して保持枠２側に固定されるが、本実施形態では、保持部材３２が、前面枠体２０に形成された保持部材取付部１１と背面枠体２１に対してそれぞれ面接触した状態で、保持部材取付部１１に固定されている。
【００２８】
具体的には、保持部材３２はアングルで構成され、このアングルの一辺の外側面３２０に、基板底面が面接触した状態で基板３０が固定されている。そして、この保持部材３２は、アングルの内側面３２２が保持部材取付部１１の２つの面に面接触し且つアングルの他の一辺の外側面３２１が背面枠体２１に面接触した状態で、保持部材取付部１１に固定されている。保持部材３２は、固定ネジ３４により保持部材取付部１１に対して脱着可能に固定されている。
【００２９】
本実施形態では、ＬＥＤユニット３を構成する保持部材３２（アングル）の内側面３２２が保持部材取付部１１の２つの面に面接触し且つアングルの一辺の外側面３２１が背面枠体２１に面接触し、また、背面枠体２１と放熱板兼用背面保護板７がシール部１００を介して面接触し、さらに、放熱板兼用背面保護板７の側端面がＬＥＤユニット３と対面した構造であるので、前面枠体２０と背面枠体２１と放熱板兼用背面保護板７がヒートシンクとなり、適切な放熱がなされる。すなわち、ＬＥＤで発生する熱は、（i）保持部材３２と保持部材取付部１１を介して前面枠体２０から放熱され、（ii）保持部材３２を介して背面枠体２１から放熱され、さらには背面枠体２１と面接触する放熱板兼用背面保護板７から放熱され、（iii）ＬＥＤチップ３０の輻射熱が放熱板兼用背面保護板７から放熱され、これら（i）〜（iii）により適切な放熱がなされる。
【００３０】
図５および図７には、前面枠体２０に取り付けられる前のＬＥＤユニット３が示されているが、ＬＥＤユニット３は、保持部材３２とＬＥＤ回路（基板３０、ＬＥＤチップ３１）が一体となったものであり、保持部材３２ごと保持部材取付部１１に脱着可能に固定されるものであるため、取り付けや交換を容易に行うことができる。
また、本実施形態の装置では、保持枠２が密閉構造で、その内部の空間部９にＬＥＤユニット３が配置され、しかも、面光部構成体１xを構成する導光板５や拡散板４が破損しても砕け散ることがなく、また、背面側の放熱板兼用背面保護板７は金属製であるので、仮に、物がぶつかったり、銃弾が当たったりして面光部構成体１xが破損しても、保持枠２の密閉性が損なわれない。このため保持枠２内の給電系統による感電のおそれがなく、また、装置を引火性雰囲気（例えば、油田や炭鉱）で使用しても、雰囲気ガスが電極などに触れないため、引火などのおそれもない。
【００３１】
なお、図３は、装置の短辺側において、保持枠２と面発光部構成体１xを断面した断面図であるが、装置の長辺側についてもほぼ同様の断面構造を有している。
装置の形状や大きさは特に限定されないが、面発光部Ａの面積は、一般には概ね280〜700ｃｍ２程度が適当である。
また、面発光部Ａの照度は特に限定されないが、後述するような種々の用途を考慮した場合、一般には50,000〜100,000Ｌｘ程度が適当である。
【００３２】
その他図面において、１８は各ＬＥＤユニット３の配線が接続される端子部であり、保持枠２の空間部９内に設けられる。この端子部１８は、ケーブル（図示せず）で電源装置に接続される。この電源装置は、バッテリーのほか、各国対応のＡＣアダプターなどでもよい。
なお、本実施形態では、保持部材取付部１１が前面枠体２０に形成されているが、これとは逆に、保持部材取付部１１を背面枠体２１に形成し、ＬＥＤユニット３を構成する保持部材３２（アングル）の内側面３２２が、背面枠体２１に形成された保持部材取付部１１の２つの面に面接触するとともに、アングルの一辺の外側面３２１が前面枠体２０に面接触するような構造としてもよい。
【００３３】
また、図９（Ａ），（Ｂ）に仮想線で示すような、保持枠２の前面の全体または一部（端子部１８やケーブルが内蔵された部分）を防護する防弾板１９ａまたは１９ｂを設けてもよい。この防弾板１９ａ，１９ｂとしては、ポリカーボネート板、鋼板などを用いることができる。この防弾板１９ａ，１９ｂは、保持枠２の前面に固定的に設けてもよいし、脱着可能に設けてもよい。後者の場合には、図９（Ａ），（Ｂ）に示すように、保持枠２のコーナー部に貫通孔２３０を設け、例えば、この貫通孔２３０に挿通されるボルト２４０および締め付けナット（図示せず）により、防弾板１９ａ，１９ｂを保持枠２に脱着可能に固定する。
この面発光照明装置は、面発光部Ａが破損しても、ＬＥＤユニット３やその配線、電源系統（端子部１８、ケーブルなど）が保護されば、照明機能が維持されるので、防弾板１９ａ，１９ｂを設けることにより、耐久性をより高めることができる。
【００３４】
以上述べた図１〜図８の実施形態は、面発光部構成体１xが、反射板６と金属製の放熱板兼用背面保護板７を備えたものであるが、これらに代えて、反射板の機能と放熱および背面保護の機能を兼ね備えた反射板・放熱板兼用背面保護板８を設けてもよい。
図１０は、そのような構造の一実施形態を示しており、図３に対応する断面図である。この実施形態の面発光部構成体１yは、少なくとも拡散板４、導光板５および金属製の反射板・放熱板兼用背面保護板８が、装置前面側から順に積層した（単純に重ね合わされた）ものであり、装置の面発光部Ａを構成するものである。
【００３５】
前記反射板・放熱板兼用背面保護板８は、反射板の機能と放熱および背面保護の機能を兼ね備えたものであり、例えば、表面が鏡面仕上された金属板（例えば、アルミニウム板、アルミニウム合金板など）などで構成される。
前記面発光部構成体１yの幅方向の両側端面には、保持枠２の幅方向両側に設けられたピン１５が係合するピン係合溝１４が形成されている。このため、面発光部構成体１yを構成する拡散板４、導光板５、反射板・放熱板兼用背面保護板８の各幅方向の両側端面に、それぞれピン係合溝が形成される。
【００３６】
また、以上述べた図１〜図８の実施形態は、面発光部構成体１xの両側端面、すなわち、面発光部構成体１xを構成する拡散板４、導光板５、反射板６および放熱板兼用背面保護板７の各両側端面にピン係合溝１４（ピン係合溝１４a〜１４d）が形成され、このピン係合溝１４にピン１５が係合することで、面発光部構成体１xが保持枠２に対して位置決めおよび係止されるようになっているが、これに代えて、面発光部構成体１xを構成する拡散板４、導光板５および反射板６の各両側端面にのみピン係合溝１４を形成し、これにピン１５を係合させることで、保持枠２に対して位置決めおよび係止されるようにするとともに、面発光部構成体１xを構成する放熱板兼用背面保護板７については、両側端面にピン係合溝１４を設けず、放熱板兼用背面保護板７の一部を背面枠体２１の内側縁２１０に係合させることで、保持枠２に対して位置決めおよび係止されるようにしてもよい。
【００３７】
図１１は、そのような構造の一実施形態を示しており、図３に対応する断面図である。この実施形態では、面発光部構成体１xを構成する拡散板４、導光板５および反射板６の各両側端面にのみピン係合溝１４（図８でいうとピン係合溝１４a〜１４c）が形成され、保持枠２に設けられたピン１５がこれらピン係合溝１４に係合することで、面発光部構成体１xを構成する拡散板４、導光板５および反射板６が保持枠２に対して位置決めおよび係止されるようにしている。一方、面発光部構成体１xを構成する放熱板兼用背面保護板７の背面には、背面枠体２１の内側縁２１０と係合することで、放熱板兼用背面保護板７を保持枠２に対して位置決めおよび係止する段部７０（背面側の突出部７１の端面で構成される段部７０）が形成されている。放熱板兼用背面保護板７は、その段部７０を構成する突出部７１が背面枠体２１の内側に嵌め込まれるようにして配置され、段部７０が背面枠体２１の内側縁２１０と係合することで、保持枠２に対して位置決めおよび係止される。
【００３８】
また、図１２は、図１０に示すような面発光部構成体１yを備えた装置の一実施形態を示しており、図３に対応する断面図である。この実施形態では、面発光部構成体１yを構成する拡散板４および導光板５の各両側端面にのみピン係合溝１４（図８でいうとピン係合溝１４a、１４b）が形成され、保持枠２に設けられたピン１５がこれらピン係合溝１４に係合することで、面発光部構成体１ｙを構成する拡散板４および導光板５が保持枠２に対して位置決めおよび係止されるようにしている。一方、面発光部構成体１yを構成する反射板・放熱板兼用背面保護板８の背面には、背面枠体２１の内側縁２１０と係合することで、反射板・放熱板兼用背面保護板８を位置決めおよび係止する段部８０（背面側の突出部８１の端面で構成される段部８０）が形成されている。反射板・放熱板兼用背面保護板８は、その段部８０を構成する突出部８１が背面枠体２１の内側に嵌め込まれるようにして配置され、段部８０が背面枠体２１の内側縁２１０と係合することで、保持枠２に対して位置決めおよび係止される。
【００３９】
以上述べた実施形態の装置には、下記（i）〜（vi）のような利点がある。
（i）ＬＥＤ（ＬＥＤユニット３）が導光板５に直に取り付けされず、ＬＥＤ（ＬＥＤユニット３）と導光板５間にクリアランスがあるため、面発光部Ａに衝撃が加わってもＬＥＤが損傷することがなく、照明機能が損なわれない。
（ii）導光板５に飛散防止用フィルム１２を貼設したので、銃弾が面発光部Ａに当たっても貫通するだけであり、砕け散ることがなく、このため照明機能が失われることがない。すなわち、発光中に面発光部Ａに銃弾を受けても光り続けることができる。
【００４０】
（iii）面発光部Ａ（面発光部構成体１xまたは１yの前面側）を除く装置全体、すなわち、保持枠２全体と放熱板兼用背面保護板７または反射板・放熱板兼用背面保護板８をＬＥＤのヒートシンクとして利用するため、適切な放熱がなされる。特に、ＬＥＤユニット３を構成する保持部材３２（アングル）の内側面３２２が保持部材取付部１１の２つの面に面接触し且つアングルの一辺の外側面３２１が背面枠体２１（または前面枠体２０）に面接触し、また、背面枠体２１と放熱板兼用背面保護板７または反射板・放熱板兼用背面保護板８が面接触し、さらに、放熱板兼用背面保護板７または反射板・放熱板兼用背面保護板８の側端面がＬＥＤユニット３と対面した構造であるので、ＬＥＤで発生する熱は、（1）保持部材３２と保持部材取付部１１を介して前面枠体２０(または背面枠体２１)から放熱され、（2）保持部材３２を介して背面枠体２１(または前面枠体２０)から放熱され、さらには背面枠体２１と面接触する放熱板兼用背面保護板７または反射板・放熱板兼用背面保護板８から放熱され、（3）ＬＥＤチップ３０の輻射熱が放熱板兼用背面保護板７または反射板・放熱板兼用背面保護板８から放熱され、これら（1）〜（3）により適切な放熱がなされる。
【００４１】
（iv）面発光部構成体１xまたは１yのピン係合溝１４が、保持枠２側に設けられるピン１５に係合することでだけで、面発光部構成体１xまたは１yが保持枠２に対して縦横方向で位置決めおよび係止されるので、面発光部構成体１xまたは１yに熱膨張が生じたり、面発光部構成体１xまたは１yに衝撃が加わった場合でも、面発光部構成体１xまたは１y（導光板５など）の側端面と保持枠２側に固定されたＬＥＤユニット３との間隔が保たれ、面発光部構成体１xまたは１y（導光板５など）の側端面がＬＥＤユニット３に接触しない。このため、衝撃等によるＬＥＤユニット３の損傷を生じにくい。また、面発光部構成体１xまたは１yの交換を容易に行うことができる。
【００４２】
（v）ＬＥＤユニット３は、保持部材３２とＬＥＤ回路（基板３０、ＬＥＤチップ３１）が一体となったものであり、保持部材３２ごと保持部材取付部１１に脱着可能に固定されるものであるため、取り付けや交換を容易に行うことができる。
（vi）保持枠２が密閉構造で、その内部の空間部９にＬＥＤユニット３が配置され、しかも、面光部構成体１xまたは１yを構成する導光板５や拡散板４が破損しても砕け散ることがなく、また、背面側の放熱板兼用背面保護板７または反射板・放熱板兼用背面保護板８は金属製であるので、仮に、物がぶつかったり、銃弾が当たったりして面光部構成体１xまたは１yが破損しても、保持枠２の密閉性が損なわれない。このため保持枠２内の給電系統による感電のおそれがなく、また、保持枠２内の電極部分に爆発性の雰囲気ガスや引火性の溶剤等が接触しにくいため、装置を爆発のおそれがある環境（例えば、油田や炭鉱など）や揮発性が高く引火性のある溶剤を扱う場所などで使用しても、爆発や引火などのおそれもない。
【００４３】
本発明の面発光照明装置は、例えば、警察や軍隊或いは民間警備の携行装備品として、若しくは一般民生用や災害用の携行可能な照明装置として用いることができ、屋内外において種々の形態で使用することができる。また、油田や炭鉱などのような爆発のおそれがある環境や、揮発性が高く引火性のある溶剤を扱う作業場所などでも安全に使用することができる。
【符号の説明】
【００４４】
１x，１y  面発光部構成体
２  保持枠
３，３a〜３d  ＬＥＤユニット
４  拡散板
５  導光板
６  反射板
７  放熱板兼用背面保護板
８  反射板・放熱板兼用背面保護板
９  空間部
１０  開口部
１１  保持部材取付部
１２，１３  飛散防止用フィルム
１４，１４a〜１４d  ピン係合溝
１５  ピン
１６  Ｏリング
１７  ガスケット
１８  端子部
１９a，１９b  防弾板
２０  前面枠体
２１  背面枠体
２２  固定ネジ
３０  基板
３１  ＬＥＤチップ
３２  保持部材
３３  両面接着テープ
３４  固定ネジ
５０  光射出面
７０，８０  段部
７１，８１  突出部
１００  シール部
２００  壁部
２０１  段部
２０２  溝
２０３  雌ネジ孔
２１０  内側縁
２３０  貫通孔
２４０  ボルト
３２０，３２１  外側面
３２２  内側面
Ａ  面発光部
【図１】
2016004603.tif 000003
【図２】
2016004603.tif 000004
【図３】
2016004603.tif 000005
【図４】
2016004603.tif 000006
【図５】
2016004603.tif 000007
【図６】
2016004603.tif 000008
【図７】
2016004603.tif 000009
【図８】
2016004603.tif 000010
【図９】
2016004603.tif 000011
【図１０】
2016004603.tif 000012
【図１１】
2016004603.tif 000013
【図１２】
2016004603.tif 000014